(57)【要約】【課題】  本発明は，柔軟で高い伸縮性を有する格子を提供することを目的とする。また，本発明は，材料の構造によって弾性率を調整することにより，複合される材料の弾性率に適合させることができる格子を提供することを目的とする。【解決手段】  本発明に係る格子構造体１００は，Ｓ字型に湾曲又は屈折した複数の格子橋１０と，複数の格子橋１０のうち３つの格子橋１０の端部を連結する複数の格子点２０とを含む。そして，複数の格子橋１０と複数の格子点２０は，複数の格子開口部３０を画定する。このとき，格子開口部３０のそれぞれは，複数の格子橋１０と複数の格子点２０のうち，６つの格子橋１０と６つの格子点２０で取り囲まれることにより画定される。このため，格子構造体１００は，柔軟で高い伸縮性を有する。【選択図】    図１
2012036129.tif 000002
【特許請求の範囲】
【請求項１】
Ｓ字型に湾曲又は屈折した複数の格子橋（１０）と，
前記複数の格子橋（１０）のうち３つの格子橋（１０）の端部を連結する複数の格子点（２０）と，を含み，
前記複数の格子橋（１０）と前記複数の格子点（２０）は，複数の格子開口部（３０）を画定し，
前記格子開口部（３０）のそれぞれは，前記複数の格子橋（１０）と前記複数の格子点（２０）のうち，６つの格子橋（１０）と６つの格子点（２０）で取り囲まれることにより画定される
格子構造体（１００）。
【請求項２】
前記格子開口部（３０）のそれぞれは，
１つの主たる開口部（３２）と，６つの従たる開口部（３４）を含み，
前記従たる開口部（３４）は，前記主たる開口部（３２）から，等方向に，放射状に延びるように画定されている
請求項１に記載の格子構造体（１００）。
【請求項３】
前記格子開口部（３０）を取り囲んでいる６つの前記格子点（２０）は，
それぞれの格子点（２０）をつなぐことにより形成される六角形の頂点に位置する
請求項１に記載の格子構造体（１００）。
【請求項４】
前記格子を形成するＳ字型に湾曲した格子橋（１０）を，湾曲しない直線状の格子橋（１０）とした場合に，
６つの前記直線状の格子橋（１０）と６つの前記格子点（２０）により画定された格子開口部（３０ａ）は，六角形をなす
請求項１に記載の格子構造体（１００）。
【請求項５】
前記Ｓ字型に湾曲した格子橋（１０）を介して連結される前記格子点（２０）同士の距離は，
前記Ｓ字型に湾曲した格子橋（１０）を，湾曲しない直線状の格子橋（１０）とした場合における，前記直線状の格子橋（１０）の長さの９０％以下である
請求項１に記載の格子構造体（１００）。
【請求項６】
前記複数の格子開口部（３０）の少なくとも１つにはネジ穴が形成されたナット（４０）が嵌め込まれている
請求項１に記載の格子構造体（１００）。
【請求項７】
前記格子橋（１０）と前記格子点（２０）は，バネ合金材料又は形状記憶合金で出来ており，
Ｔｉ−Ｎｉ合金を含む
請求項１に記載の格子構造体（１００）。
【請求項８】
平板状に形成されている
請求項１に記載の格子構造体（１００）。
【請求項９】
円筒状に形成されている
請求項１に記載の格子構造体（１００）。
【請求項１０】
円筒形状に形成され，
その構造体が輪を形成するリング状である
請求項１に記載の格子構造体（１００）。
【請求項１１】
球形状に形成されている
請求項１に記載の格子構造体（１００）。
【請求項１２】
請求項１に記載の格子構造体（１００）を複数層に重ねてなる
複数層格子構造体（２００）。
【請求項１３】
請求項１に記載の格子構造体（１００）が，所定角度又は所定方向にずれて，複数層に重ねられてなる
複数層格子構造体（２００）。
【請求項１４】
請求項１に記載の格子構造体（１００）を少なくとも２枚以上含み，
少なくとも２枚以上の格子構造体には，第１の格子構造体（１００ａ）と第２の格子構造体（１００ｂ）が含まれ，
前記第１の格子構造体（１００ａ）と前記第２の格子構造体（１００ｂ）は，少なくとも１箇所の格子点（２０ａ，２０ｂ）において接合されており，
接合された格子点（２０ａ，２０ｂ）に端部が連結された格子橋（１０ａ，１０ｂ）のいずれか一つ以上は，格子構造体の平面に直交する方向に立上している
複数層立体格子構造体（３００）。
【請求項１５】
第３の格子構造体（１００ｃ）をさらに含み，
前記第１の格子構造体（１００ａ）と前記第３の格子構造体（１００ｃ）の間に，前記第２の格子構造体（１００ｂ）が位置し，
少なくとも，前記第２の格子構造体（１００ｂ）のある格子橋（１０ｂ）の一端部に位置する格子点（２０ｂ１）は，前記第１の格子構造体（１００ａ）の格子点（２０ａ）に接合されており，
少なくとも，前記第２の格子構造体（１００ｂ）のある格子橋（１０ｂ）の他端部に位置する格子点（２０ｂ２）は，前記第３の格子構造体（１００ｃ）の格子点（２０ｃ）に接合されており，
少なくとも，前記第２の格子構造体（１００ｂ）のある格子橋（１０ｂ）は，前記第２の格子構造体（１００ｂ）の平面に直交する方向に立上している。
請求項１６に記載の複数層立体格子構造体（３００）。
【請求項１６】
前記格子橋（１０）は，Ｓ字型に屈折したものであり，
前記格子橋（１０）は，ある格子開口部（３０）の内側に向かって鋭角に突出した内側屈折点（１７）と，当該ある開口部（３０）の外側に向かって鋭角に突出した外側屈折点（１８）の２点において屈折し，
前記格子開口部（３０）は，六角形状の主たる開口部（３２）と，当該主たる開口部（３２）の各辺の一端部から当該各辺の延長線上に延びた一定の回転方向性を有する６つの従たる開口部（３４）が画定される
請求項１に記載の格子構造体。
【請求項１７】
前記格子橋（１０）は，Ｓ字型に屈折したものであり，
前記格子橋（１０）は，ある格子開口部（３０）の内側に向かって鈍角に突出する第１の内側屈折点（１７ａ）と第２の内側屈折点（１７ｂ），及び当該ある格子開口部（３０）の外側に向かって鈍角に突出する第１の外側屈折点（１８ａ）と第２の外側屈折点（１８ｂ）の４点において屈折し，
前記格子開口部（３０）は，鋭角と鈍角が交互に連続した１２角形状の主たる開口部（３２）と，当該主たる開口部（３０）の各鋭角端から当該鋭角端をなす一方の辺の延長線上に延びた一定の回転方向性を有する６つの従たる開口部（３４）が画定される
請求項１に記載の格子構造体。
【発明の詳細な説明】
【技術分野】
【０００１】
本発明は，三次元方向に成形可能な格子構造体に関する。また，本発明は，高度に伸縮可能な構造を有し，複合される材料に弾性率を適合させることができる格子構造体に関する。
【背景技術】
【０００２】
従来から，例えば，物品の軽量化を図りつつ物的強度を向上させたり，通気性や通液性を保持するためにメッシュと称される格子が用いられている。従来の格子は，例えば金属線を交差するように編み込んだり，パンチによって金属板に円形や多角形の孔を貫通形成することにより製造される。【０００３】
また，特開平１０−２９１１７３号公報（特許文献１）には，頭骨や顎骨，又は骨欠損部を補強するために，生体適合材料で形成された網状構造を有する格子が開示されている。この公報には，湾曲した４つの格子橋を１の格子点で連結し，４つの格子橋と４つの格子点により，１つの開口部が画定される格子が開示されている。【０００４】
しかしながら，特許文献１に開示されているような格子では，開口部の形状が略四角形で形成されているため，縦及び横の二次元方向にしか伸縮しない。従って，従来の格子は，伸縮性や曲げ特性に乏しく，例えば生体適合させる格子構造体としては十分にその効果を奏し得ないものであった。【０００５】
一方，例えば金属材料とカーボンファイバのような２つの材料を，複合して用いる場合がある。カーボンファイバは，軽く，優れた機械的な性質（高比強度，高比弾性率）と，炭素質に由来する優れた特性（導電性，耐熱性，低熱膨張率，化学安定性，自己潤滑性及び高熱伝導性など）を併せもつものであるため，近年では様々な用途で汎用的に用いられているものである。【０００６】
しかしながら，このような金属材料とカーボンファイバの複合材料に，張力や衝撃がかかると，これら両材料の弾性率が大きく異なることが原因となり，両材料の間に剥離が生じ，破断してしまうという問題があった。【０００７】
また，例えば，頭骨や顎骨，又は骨欠損部を補強するためには，金属のプレートを骨の補強部に適用する必要がある。このような場合に，金属プレートと皮質骨の弾性率が異なると，骨のへの応力が炎症反応を起こし骨吸収，消失，また骨に損傷を与えるという問題があった。
【先行技術文献】
【特許文献】
【０００８】
【特許文献１】特開平１０−２９１１７３号公報
【発明の概要】
【発明が解決しようとする課題】
【０００９】
そこで，本発明は，伸縮性や曲げ特性が高い格子構造体を提供することを目的とする。【００１０】
また，上記した複合材料に関する問題は，複合された材料それぞれの弾性率が異なることにその原因がある。従って，上記問題を解決するためには，複合されるある材料の弾性率を，他の材料の弾性率に一致させることが必要である。しかしながら，材料の弾性率は，その材料の材料特性に依存するものであるので，材料そのものの弾性率を変化させて弾性率の一致を図ることはできない。【００１１】
そこで，本発明は，材料の構造によって弾性率を調整することにより，複合される材料の弾性率を一致させることを目的とする。すなわち，本発明は，複合される材料の弾性率に適合させることができる，高度に伸縮可能な格子を提供することを目的とする。
【課題を解決するための手段】
【００１２】
本発明は，基本的には，格子橋と格子点により画定される格子開口部の形状を工夫することで，柔軟性が高く，三次元方向の成型が可能な格子構造を提供することができるという知見に基づくものである。本発明に係る格子構造体は，平板状，円筒状，及び球形状を含むものである。【００１３】
本発明の第1の側面に係る格子構造体１００は，Ｓ字型に湾曲又は屈折した複数の格子橋１０と，複数の格子橋１０のうち３つの格子橋１０の端部を連結する複数の格子点２０とを含む。そして，複数の格子橋１０と複数の格子点２０は，複数の格子開口部３０を画定する。このとき，格子開口部３０のそれぞれは，複数の格子橋１０と複数の格子点２０のうち，６つの格子橋１０と６つの格子点２０で取り囲まれることにより画定される。【００１４】
すなわち，本発明は，六角形を基本とした格子構造体であり，基本となる六角形を隙間なく連接させてメッシュパターンを形成し，その六角形の各辺をＳ字型に湾曲又は屈折させてなるものである。【００１５】
このようにして画定される格子開口部３０のそれぞれは，１つの主たる開口部３２と，６つの従たる開口部３４を含むものである。そして，６つの従たる開口部３４は，それぞれ，主たる開口部３２から延びるように画定されている。【００１６】
このような構成を有していることにより，本発明に係る格子構造体１００は，縦方向と横方向のみならず，斜め方向にも伸縮することができる。このように，格子構造体１００は，高い伸縮性を有するため，構造体の形状を三次元方向に変形させることができる。また，格子構造体は，格子橋１０の幅や，格子橋１０の曲げ率を調整することにより，弾性率を容易に変化させることができる。従って，格子構造体１００が，他の材料に複合される場合であっても，材料同士の弾性率を一致させることができる。また，本発明に係る格子構造体１００を複合材料に適用することにより，応力や衝撃が与えられた際にも剥離が生じにくい構造体を提供することができる。【００１７】
また，本発明の第１の側面の好ましい態様において，６つの従たる開口部３４は，それぞれ，主たる開口部３２から，等方向かつ放射状に延びるように画定されていることが好ましい。【００１８】
また，格子開口部３０を取り囲んでいる６つの格子点２０は，それぞれの格子点２０をつなぐことにより形成される正六角形の頂点に位置することが好ましい。このような構成を有していることにより，格子点２０をつなぐことにより形成される六角形の対角線方向のいずれから引張又は圧縮された場合であっても，格子構造体１００は，均等に伸縮することができる。従って，格子構造体１００は，六角形における３つの対角線方向に対する弾性率がすべて同一となる。【００１９】
このように，格子構造体１００は，格子開口部３０を取り囲んでいる６つの格子点２０をつなぐことにより六角形を形成するものであるため，いわゆるハニカム構造の応用であるといえる。このような六角形を基本とするハニカム構造の格子構造体は，四角形を基本とする格子構造体に比べ，格子を形成する多角形の対角線の数が多いため，伸縮方向の自由度が高い。従って，本発明に係る格子構造体１００は，四角形を基本とする格子と比べ，より柔軟に変形させることができる。また四角形を基本とする格子は，引張される方向によって伸縮性や弾性率が異なるものであるが，本発明に係る格子構造体１００は，どの方向から引張された場合であっても伸縮性や弾性率を均一にすることができる。【００２０】
一方で，本発明に係る格子構造体１００は，三次元方向に伸縮可能であるため，あらゆる方向からの衝撃に対して，均等な応力を有する。従って，本発明に係る格子構造体１００は，与えられた衝撃や圧力を，均等に分散させることができる。【００２１】
また，格子構造体１００は，Ｓ字型に湾曲した格子橋１０を，湾曲しない直線状の格子橋１０とした場合に，６つの直線状の格子橋１０と６つの格子点２０により画定された格子開口部３０が，正六角形をなすことが好ましい。【００２２】
また，本発明の第１の側面の好ましい態様において，Ｓ字型に湾曲した格子橋１０を介して連結される格子点２０同士の距離は，Ｓ字型に湾曲した格子橋１０を湾曲しない直線状の格子橋１０とした場合における，直線状の格子橋１０の長さの１／２以下であることが好ましい。すなわち，Ｓ字型に湾曲した格子橋１０を介して連結される格子点２０同士の距離は，格子橋１０引張し，直線状とすることにより，２倍以上に伸張することが好ましい。このようにＳ字型に湾曲した格子橋１０を２倍以上に伸張させるためには，Ｓ字型格子橋１０の曲げ率や，格子橋１０の橋部の長さ，格子橋１０の太さを調節すればよい。【００２３】
また，本発明の第１の側面の好ましい態様において，格子橋１０は，バネ合金材料や形状記憶合金であり，特にＴｉ−Ｎｉ（チタンニッケル）合金を含むことが好ましい。Ｔｉ−Ｎｉ合金は，バネ特性に優れた材料であるため，Ｔｉ−Ｎｉ合金を格子橋１０の材料として用いることにより，格子橋１０に複合される材料との弾性率を一致させることがさらに容易となる。また，格子橋１０は，純チタン，チタニウムからなるものであってもよい。【００２４】
また，本発明の第１の側面に係る格子構造体１００は，平板状であってもよい。平板状の格子構造体は，例えば，頭骨や顎骨，又は骨欠損部を補強するため医療用のプレートとして用いることができる。本発明を医療用プレートとして用いた場合には，格子構造体の弾性率と骨弾性率を適合させることが好ましい。平板状の格子構造体について，格子点ごとに凹凸を形成したり，格子橋を上下方向に湾曲させたりすることにより，平板の曲がり特性や上下厚みの弾性を付与することが出来る。【００２５】
また，本発明の第１の側面に係る格子構造体１００は，円筒形状であってもよい。円筒形状の格子構造体１００は，例えば医療用のステントに用いられる。ステントとは，血管や，気管，食道，十二指腸，大腸，胆道のような人体の管状の部分を管腔内部から広げるための医療機器である。ステントは，格子構造体１００が適用された筒をレーザーカットしたり，ワイヤーを編んで本発明の格子構造体１００を成形することにより製造することができる。また円筒形状の格子構造体は歯科用インプラントの人工歯根に用いることが出来る。人工歯根と歯槽骨の弾性率を近づけることにより歯槽骨応力集中を減らし，歯根の緩みや，歯槽骨からの脱離を防ぐことが出来る。【００２６】
また，本発明の第１の側面に係る格子構造体１００は，円筒形状に形成され，その構造体が輪を形成するリング状であってもよい。円筒のリング状に形成された格子構造体１００は，例えば，車両のタイヤの構造や，タイヤに装着される滑り止め防止器具の構造として用いることができる。【００２７】
また，本発明の第１の側面に係る格子構造体１００は，球形状であってもよい。本発明の格子構造体１００は，三次元方向に伸縮可能であり，高い曲げ特性を有するため，球形状とすることも可能である。また，本発明の格子構造体１００は，六角形のポリゴンを基本としているため，正１２面対や切頂２０面体構造（いわゆるＣ６０フラーレン構造）を形成することもできる。【００２８】
さらに，本発明の第１の側面に係る格子構造体１００は，複数層に重ねて用いることができる。
本発明の第２の側面は，格子構造体１００を複数層重ねてなる複数層格子構造体２００に関する。複数層格子構造体２００の例は，平板状の格子構造体１００を２枚重ねることにより形成される複数層格子構造体２００である。このように，格子構造体１００を複数層に重ねることで，構造体自体の強度を高めることができる。【００２９】
また，本発明の第２の側面の好ましい態様は，格子構造体１００が，所定角度又は所定方向にずれて，複数層重ねられてなる複数層格子構造体２００に関する。所定角度又は所定方向に格子構造体１００をずらすとは，つまり，格子構造体１００を複数層に重ね，各格子構造体１００が元来有する格子パターンを再現するのではなく，複数層格子２００を平面的に観察したときに，各格子構造体１００が元来有する格子パターンではない格子パターンを表出させることを意味する。【００３０】
このように，複数層格子構造体２００に含まれる複数の格子構造体１００を所定角度又は所定方向にずらし特異な格子パターンを表出させることにより，表出したそれぞれの格子パターンに応じた構造上の特性を発揮することができる。【００３１】
例えば，格子構造体１００を２層に重ねる場合において，２層の格子構造体１００を重ねることにより，異方性を有する格子パターンが表出する複数層格子構造体２００が形成される。これにより，複数層格子構造体２００が，ある特定の方向に引張された場合の引張応力と，他の特定の方向に引張された場合の引張応力が異なることが好ましい。【００３２】
このように，複数層格子構造体２００が異方性を有する格子パターンを表出されることにより，引張される方向に応力の異なる格子を提供することができる。従って，例えば，それぞれ弾性率の異なる２以上の材料を混合する場合であっても，異方性を有する複数層格子構造体２００を適用することにより，それぞれの材料に対して弾性率を一致させることが可能である。【００３３】
また，本発明の第２の側面の別の態様において，複数層格子構造体は，第１の格子と，第１の格子上に，所定角度又は所定方向にずれて，重畳して形成された第２の格子を有し，第１の格子及び第２の格子は，同一のパターンを有する格子であり，第２の格子と第１の格子を重畳することよって異方性を有するパターンの格子が形成され，これにより，ある特定の方向に引張された場合の引張応力と，他の特定の方向に引張された場合の引張応力が異なるように形成されることとしてもよい。また，第１の格子及び第２の格子は，本発明の第１の側面に係る格子構造体１００であってもよい。【００３４】
本発明の第３の側面は，複数の格子構造体が立体的に接合された複数層立体格子構造体３００に関する。
複数層立体格子構造体３００は，本発明の第１側面に係る格子構造体１００を少なくとも２枚以上含む。すなわち，複数層格子構造体３００は，少なくとも第１の格子構造体１００ａと第２の格子構造体１００ｂを含む。
これらの第１の格子構造体１００ａと第２の格子構造体１００ｂは，少なくとも１箇所の格子点（２０ａ，２０ｂ）において接合されている。そして，接合された格子点（２０ａ，２０ｂ）に端部が連結された格子橋（１０ａ，１０ｂ）のいずれか一つ以上は，格子構造体の平面に直交する方向に立上している。【００３５】
このような構成を有することにより，複数層格子構造体３００は，格子構造体の平面方向のみならず，格子構造体の立体方向についても，任意の弾性と強度を得ることができる。従って，本発明の第３の側面によれば，例えば，金属製の複数層格子構造体３００の立体方向に，他の材料が複合することが可能になる。すなわち，複数層格子構造体３００は，格子構造体の立体方向についても，任意の弾性と強度を得られるよう設計可能であるため，複合される材料同士の弾性率を一致させることができる。よって，本発明の第３の側面によれば，応力や衝撃が与えられた際にも複合された材料の剥離が生じにくい立体構造体を提供することができる。【００３６】
また，複数層立体格子構造体３００は，格子構造体１００を少なくとも３枚以上含むことが好ましい。すなわち，複数層格子構造体３００は，少なくとも第１の格子構造体１００ａ，第２の格子構造体１００ｂ，及び第３の格子構造体１００ｃを含む。
ここで，第１の格子構造体１００ａと第３の格子構造体１００ｃの間には，第２の格子構造体１００ｂが位置している。
また，少なくとも，第２の格子構造体１００ｂのある格子橋１０ｂの一端部に位置する格子点２０ｂ１は，第１の格子構造体１００ａの格子点２０ａに接合されている。
また，少なくとも，第２の格子構造体１００ｂのある格子橋１０ｂの他端部に位置する格子点２０ｂ２は，第３の格子構造体１００ｃの格子点２０ｃに接合されている。
そして，少なくとも，第２の格子構造体１００ｂのある格子橋１０ｂは，第２の格子構造体１００ｂの平面に直交する方向に立上していることが好ましい。【００３７】
また，第１の格子構造体１００ａの接合された格子点２０ａに端部が連結された格子橋１０ａのいずれか一つ以上が，第１の格子構造体１００ａの平面に直交する方向に立上しており，第３の格子構造体１００ｃの接合された格子点２０ｃに端部が連結された格子橋１０ｃのいずれか一つ以上が，第３の格子構造体１００ｃの平面に直交する方向に立上していることが好ましい。【００３８】
このように，本発明の第３の側面においては，第１の格子構造体１００ａと第３の格子構造体１００ｃの間に第２の格子構造体１００ｂを位置させ，第２の格子構造体１００ｂの格子橋１０ｂを立上させて，第１の格子構造体１００ａと第３の格子構造体１００ｃを繋ぐように設計することが好ましい。特に，第２の格子構造体１００ｂの立上した格子橋１０ｂと，接合された格子点を介して連結された，第１の格子構造体１００の格子橋，及び第３の格子構造体１００ｃの格子橋１０ｃも立体方向に立上することが好ましい。
このように，複数層立体格子構造体３００が，格子構造体を３枚以上含むことにより
さらに，立体方向への弾性と強度が向上する。
複数層立体格子構造体３００は，格子構造体１００を４枚以上含むものであってもよい。【００３９】
本発明の第１の側面に係る格子構造体は，格子橋１０が，Ｓ字型に屈折したものであってもよい。例えば，格子橋１０は，ある格子開口部３０の内側に向かって鋭角に突出した内側屈折点１７と，当該ある開口部３０の外側に向かって鋭角に突出した外側屈折点１８の２点において屈折したものであってもよい。この場合において，格子開口部３０は，六角形状の主たる開口部３２と，当該主たる開口部３２の各辺の一端部から当該各辺の延長線上に延びた一定の回転方向性を有する６つの従たる開口部３４が画定される。なお，「一定の回転方向性」とは，例えば，直線的に形成された６つの従たる開口部が３４のそれぞれが，隣り合う従たる開口部３４と比較して，６０度ずつ規則的に傾斜していることを意味する。【００４０】
上記構成においては，格子開口部３０が，要するに，六角形状の主たる開口部３２と，録角形の各頂点から一定の回転方向性をもって延出した直線状の６つの従たる開口部３４で形成されており，比較的簡易な形状となっている。このため，上記構成の格子構造体は，板状の基盤に，格子開口部３０と同一形状の複数の貫通孔をパンチング加工することで，容易に製造することができる。一般的に，パンチング加工は，生産性は極めて高いが，穿設する貫通孔の形状に制限がある。この点，上記構成の構造体は，パンチング加工により製造できるため，極めて生産性が高く，安価なコストで具現化できるという利点を有する。【００４１】
本発明の第１の側面に係る格子構造体の格子橋１０は，ある格子開口部３０の内側に向かって鈍角に突出する第１の内側屈折点１７ａと第２の内側屈折点１７ｂ，及び当該ある格子開口部３０の外側に向かって鈍角に突出する第１の外側屈折点１８ａと第２の外側屈折点１８ｂの４点において屈折するものであってもよい。この場合において，格子開口部３０は，鋭角と鈍角が交互に連続した１２角形状の主たる開口部３２と，当該主たる開口部３０の各鋭角端から当該鋭角端をなす一方の辺の延長線上に延びた一定の回転方向性を有する６つの従たる開口部３４が画定される。【００４２】
上記構成においては，格子開口部３０が，要するに，六角星型の主たる開口部３２と，六角星の各頂点から一定の回転方向性をもって直線的に延出した６つの従たる開口部３４で形成されており，これも比較的簡易な形状となっている。このため，上記構造の格子構造体も，パンチング加工により，生産性が高く，しかも安価なコストで製造できる。さらに，上記構造の格子構造体は，格子橋１０が４つの屈折点を有するＳ字型で形成されており比較的柔軟に伸縮するため，伸縮性や曲げ特性が高く生体適合性が良い。
【発明の効果】
【００４３】
本発明に係る格子構造体は，格子橋と格子点により画定された格子開口部が，六角形のポリゴンを基本とする形状である。このような新規な格子開口部の形状を有することにより，本発明に係る格子構造体は，三次元方向に伸縮することができ，高い伸縮性を有する。また，本発明は，複合される材料に弾性率を適合させることができる格子構造体を提供することができる。
【図面の簡単な説明】
【００４４】
【図１】図１は，本発明の第１の側面に係る格子構造体の形状を示す図である。図１（ａ）は，図１（ｂ）に示す図の一部を拡大した図である。
【図２】図２は，本発明の第１の側面に係る格子構造体の形状を示す図である。図２（ａ）は，図２（ｂ）に示す図の一部を拡大した図である。
【図３】図３は，本発明の第１の側面に係る格子構造体の形状を示す図である。図３（ａ）は，図３（ｂ）に示す図の一部を拡大した図である。
【図４】図４は，本発明の第１の側面に係る格子構造体の形状を示す図である。図４（ａ）は，図４（ｂ）に示す図の一部を拡大した図である。
【図５】図５は，本発明の第１の側面に係る格子構造体の形状を示す図である。図５（ａ）は，図５（ｂ）に示す図の一部を拡大した図である。
【図６】図６は，本発明の第１の側面に係る格子構造体の形状を示す図である。図６（ａ）は，図６（ｂ）に示す図の一部を拡大した図である。
【図７】図７は，格子構造の設計工程の例を説明するための概念図である。
【図８】図８は，本発明に係る格子構造体の使用例について説明するための概念図である。
【図９】図９は，本発明に係る格子構造体の動作例について説明するための概念図である。
【図１０】図１０は，本発明に係る格子構造体の動作例について説明するための概念図である。図１０（ａ）は，ラチェット構造を有する格子構造体１００を示す。図１０（ｂ）は，ラチェット構造を有する格子構造体１００を転開させるための道具を示す。
【図１１】図１１は，円筒状である格子構造体を示す図である。円筒状の格子構造体は，例えば，ステントに適用される。
【図１２】図１２は，球形状である格子構造体を示す図である。
【図１３】図１３は，本発明の第２の側面に係る複数層格子構造体の構成を示す概念図である。
【図１４】図１４（ａ）から図１４（ｂ）は，本発明の第２の側面に係る複数層格子構造体の格子パターンを示す図である。
【図１５】図１５は，複数層立体格子構造体の例を示す側面図である。
【図１６】図１６は，複数層立体格子構造体の例を示す斜視図である。
【図１７】図１７は，複数層立体格子構造体に含まれる格子構造体を説明するための平面図である。
【図１８】図１８は，複数の格子構造体を重ね合わせて複数層立体格子構造体を形成するための状態を説明するための概略斜視図である。
【図１９】図１９は，本発明の格子構造体のパンチング加工モデルの例を示している。
【図２０】図２０は，本発明の格子構造体のパンチング加工モデルの例を示している。
【図２１】図２１は，本発明に係る格子構造体から抽出されるピースを説明するための図である。
【図２２】図２２は，本発明に係る格子構造体を生体（特に人の骨）に適用した実施例を示す写真である。
【図２３】図２３は，本発明に係る格子構造体，歯槽骨造成用の格子構造体としての応用した実施例を示し写真である。
【図２４】図２４は，リベットを用いて２つの本発明に係る格子構造体を圧接し連結した実施例を示す写真である。
【発明を実施するための形態】
【００４５】
以下，図面を用いて，本発明を実施するための形態について説明する。ただし，本発明は，以下の実施の形態に限定されるものではなく，当業者にとって自明な範囲で適宜修正したものを含む。
【００４６】
（１  格子）
図１から図６は，本発明の第１の側面に係る格子構造体１００の形状を示す図である。図１（ａ）から図６（ａ）は，それぞれ，図１（ｂ）から図６（ｂ）に示す図の一部を拡大した図である。図１から図３までは，Ｓ字型の格子橋１０が比較的小さい格子を示し，図４から図６は，Ｓ字型の格子橋１０が比較的大きい格子を示している。また，図１及び図４は，Ｓ字型の格子橋１０が比較的細い格子を示し，図２及び図５は，Ｓ字型の格子橋１０が図１及び図４と比較して太い格子を示し，図３及び図６は，Ｓ字型の格子橋１０の太さが図２及び図５と比較してさらに太い格子を示す。このように，格子橋１０の形状や太さ，厚みを変化させることにより，格子構造体１００が引張された場合の伸張率や，弾性率を調整することが可能である。以下，主に図１を用いて，本発明に係る格子構造体１００の形状について説明する。
【００４７】
図１に示すように，格子構造体１００は，複数の格子橋１０，複数の格子点２０を含み，複数の格子橋１０と複数の格子点２０により，複数の格子開口部３０が画定されている。すなわち，格子構造体１００は，Ｓ字型に湾曲した複数の格子橋１０と，複数の格子橋１０のうち３つの格子橋１０の端部を連結する複数の格子点２０とを含む。そして，複数の格子橋１０と複数の格子点２０は，複数の格子開口部３０を画定する。格子開口部３０のそれぞれは，複数の格子橋１０と複数の格子点２０のうち，６つの格子橋１０と６つの格子点２０で取り囲まれることにより画定されている。なお，ここにいう格子開口部３０とは，物理的に存在するものではなく，複数の格子橋１０と複数の格子点２０が設けられることで，複数の格子橋１０と複数の格子点２０との間に形成される開口部である。格子橋１０，格子点２０，及び格子橋１０と格子点２０により画定される格子開口部３０の数は，格子構造体１００の大きさによって適宜増減すればよい。ただし，格子橋１０，格子点２０，及び格子開口部３０の数は，それぞれ依存し合うものであるため，ある要素の数が決定されれば，必然的に他の要素の数も決定される。
【００４８】
ここで，格子構造体１００をなす六角形を基本とした一単位を，説明の便宜上，単位格子と呼ぶ。すなわち，単位格子は，Ｓ字型に湾曲した６つの格子橋１０と，格子橋１０の端部を連結する６つの格子点２０により画定される。そして，単位格子は，これら６つの格子橋１０と６つの格子点２０によって取り囲まれることにより１つの格子開口部３０が画定されている。このような単位格子が，連続的に複数連結されていることにより，格子構造体１００が形成される。また，単位格子同士は，格子橋１０及び格子点２０を介して，互いに連結されている。すなわち，ある格子橋１０は，２つの単位格子を連結する役割を担う。また，ある格子点２０は，３つの単位格子を連結する役割を担う。このようにしてそれぞれの格子橋１０と格子点２０が，複数の単位格子を連結する役割を担うことで，単位格子同士は連続的に連結されている。
【００４９】
（１−１  格子橋）
図１に示すように，格子橋１０は，Ｓ字型に湾曲している。つまり，格子橋１０は，格子開口部３０の中心から外方（Ｒ１）に向かって湾曲した外曲部１２と，格子開口部３０中心に向かって内方（Ｒ２）に湾曲した内曲部１４と，外曲部１２と内曲部１４とを結ぶ略直線状の橋部１６とからなる。そして，格子橋１０は，橋部１６を介して，外曲部１２と内曲部１４が交互に連続することによりＳ字型となっている。このようにＳ字型に湾曲した格子橋１０は，格子構造体１００が圧縮又は引張された場合に伸縮する。
【００５０】
格子橋１０は，異方性を有するようにＳ字型に湾曲していてもよい。例えば，１つの従たる開口部３４を画定する２つの橋部１６のうち，一方の橋部１６の湾曲率を大きくし，他方の橋部１６の湾曲率を小さくすることにより，格子橋１０は異方性を備えることができる。すなわち，１つの従たる開口部３４を画定する２つの橋部１６の湾曲率が異なる場合，これら２つの橋部１６の長さも異なる。
【００５１】
格子橋１０の太さは，格子構造体１００が適用される用途に応じて適宜設計すればよい。また，格子橋の１０の平面に対し垂直方向の厚みも，格子が適用される用途に応じて適宜設計すればよい。例えば，格子橋１０の太さと厚みを変更することにより，格子構造体１００の伸縮性や，弾性率を自由に調整することができる。また，例えば，格子橋１０の太さに関しては，図１に示されている格子よりも，図２に示されている格子の方が太くなっている。また，図２に示されている格子よりも，図３に示されている格子の方が太くなっている。格子橋１０の太さは，例えば，平板状の格子構造体１００を骨片の固定又は骨欠損分部の架橋に用いる場合に，０．４ｍｍから０．８ｍｍであってもよいし，０．５ｍｍから０．７ｍｍであってもよいし，０．６ｍｍであってもよい。また，格子橋１０の太さは，例えば，平板状の格子構造体１００を衣服にラミネートして防護服として用いるような場合には，より太く形成すればよい。ただし，この格子橋１０の太さとして，隣接する格子橋１０に接触する程に太いものを採用することはできない。格子橋１０の厚みは，例えば，格子構造体１００を骨片の固定又は骨欠損分部の架橋に用いる場合に，０．１ｍｍから０．５ｍｍであってもよいし，０．２ｍｍから０．４ｍｍであってもよいし，０．３ｍｍであってもよい。
【００５２】
また，格子橋１０の長さ，特に格子橋１０の橋部１６の長さも格子構造体１００が適用される用途に応じて適宜設計すればよい。例えば，橋部１６の長さに関しては，図１から図３に示す格子より，図４から図６に示す格子の方が長くなっている。このように，格子橋１０の長さ，特に橋部１６の長さを変更することにより，格子構造体１００が引張された場合の最大伸張距離を調節することができる。特に，この橋部１６の長さは，格子構造体１００が引張された場合に，２倍以上に伸張されることが好ましい。ただし，この橋部１６の長さも，隣接する格子橋に接触する程度に長いものを選択することはできない。
【００５３】
外曲部１２と内曲部１４の曲率は，実質的に，同一であることが好ましい。そして，この曲率は，格子橋１０を介して連結される格子点２０同士の距離と，橋部１６の長さに依存する。すなわち，格子橋１０を介して連結される格子点２０同士の距離が近いほど，この曲率も大きくなる。また，橋部１６の長さが長いほど，この曲率は大きくなる。従って，外曲部１２と内曲部１４の曲率は，格子橋１０を介して連結される格子点２０同士の距離と，橋部１６の長さを決定した後，これらに適合するように決定すればよい。
【００５４】
また，単位格子に含まれる６つのＳ字型の格子橋１０は，格子構造体１００が引張され，直線状の格子橋となった場合に，六角形となることが好ましい。特に，この六角形は，正六角形であることが好ましい。このように，格子構造体１００は，格子点２０同士をつなぐことにより形成される六角形の対角線方向，つまり，図１に示すＤ１，Ｄ２及びＤ３の方向に，ある一定以上の力で引張されると，格子橋１０の外曲部１２及び内曲部１４の曲げ負荷が解放され，格子橋１０は直線状となる。
【００５５】
（１−２  格子点）
上記構成を有する格子橋１０は，格子点２０を介して連結されている。具体的に説明すると，ある格子点２０は，複数の格子橋１０のうち，近接する３つの格子橋１０の一端部を連結する。なお，格子橋１０の他端部は，他の格子点２０において，他の格子橋１０の端部と連結されている。
【００５６】
単位格子には，格子構造体１００を形成する複数の格子点２０うち，６つの格子点２０が含まれる。単位格子を画定する６つの格子点２０を繋ぐことにより，六角形が形成される。この六角形は，正六角形である。そして，格子点２０は，正六角形の頂点に位置する。この六角形の一辺の長さ，つまり，ある格子橋１０により連結された２つの格子点２０の間の距離は，格子構造体１００が適用される用途に応じて適宜設計することができる。例えば，格子構造体１００を骨片の固定又は骨欠損分部の架橋に用いる場合に，１０ｍｍから１００ｍｍであってもよいし，２０ｍｍから８０ｍｍであってもよいし，３０ｍｍから６０ｍｍであってもよい。また，例えば，格子構造体１００を衣服にラミネートして防護服として用いるような場合には，１０ｍｍから５０ｍｍであってもよいし，２０ｍｍから４０ｍｍであってもよいし，３０ｍｍであってもよい。
【００５７】
このように形成された六角形は，Ｄ１，Ｄ２，及びＤ３方向に走行する対角線を有する。この対角線が走行する方向に，格子構造体１００が引張された場合，この対角線に平行な六角形の辺に位置する２つの格子橋１０が伸張する。
【００５８】
（１−３  格子開口部）
上記構成を有する複数の格子橋１０及び複数の格子点２０は，複数の格子開口部３０を画定する。格子開口部３０のそれぞれは，複数の格子橋１０と複数の格子点２０のうち，６つの格子橋１０と６つの格子点２０で取り囲まれることにより画定される。すなわち，六角形の頂点にそれぞれ位置する格子点２０を連結するように６つの格子橋１０が形成され，６つの格子点２０と６つの格子橋１０により，全周が閉じられた格子開口部３０が画定される。
【００５９】
格子開口部３０は，図１に示すように，１つの主たる開口部３２と，６つの従たる開口部３４を含むように画定される。従たる開口部３４は，主たる開口部３２の中心から，放射状に延びるようにして画定されている。従たる開口部３４は，格子橋１０がＳ字に湾曲していることに起因して画定されたものであり，主として，格子橋１０が主たる開口部３２から外方（Ｒ１）に向かって湾曲する外曲部を含んでいることによって画定されたものである。このような従たる開口部３４は，主たる開口部３２の中心から放射状に，かつ等方向に延びていることが好ましい。具体的には，従たる開口部３４のそれぞれは，主たる開口部３２の中心点から見て，６０度間隔で延伸していることが好ましい。
【００６０】
（１−４  材料）
上記構成を有する格子構造体１００は，公知の材料を用いて製造することができる。格子構造体１００は，金属材料で形成されていることが好ましい。すなわち，格子構造体１００を形成する複数の格子橋１０及び複数の格子点２０が，金属材料で形成されていることが好ましい。特に，Ｔｉ−Ｎｉ合金により形成することが好ましい。Ｔｉ−Ｎｉ合金は，バネ特性に優れているものであるため，格子構造体１００の伸縮性を高めることができる。従って，格子構造体１００が適用される弾性率の調整が容易となる。また，格子構造体１００は，形状記憶合金で形成されていることとしてもよい。形状記憶合金の例としては，Ｎｉ−Ｔｉ(Ｎｉ５５％)合金や，ＣＯ−Ｎｉ−Ａｌ合金，Ｆｅ−Ｍｎ−Ｓｉ合金であるが，この他にも公知の合金を用いて格子構造体１００を形成することとしても良い。また医療用の吸収性メッシュとして使用する場合には，生体吸収材料（ポリ乳酸，ポリグリコール酸，ポリカプトラクトン，或いはその配合剤）が適しており，生体吸収性材料を燐酸カルシウム系の人工骨材料と複合化して用いることも出来る。
【００６１】
さらに，格子構造体１００を形成する金属としては，例えば，純鉄，極軟鋼，黄銅，銅，鉛，アルミニウム，ニッケル，モネル，チタン，インコネルが挙げられる。また，格子構造体１００を形成する合金としては，例えば，鋼（Ｆｅ−Ｃ），クルップ鋼，クロムモリブデン鋼（Ｆｅ−Ｃｒ−Ｍｏ），マンガンモリブデン鋼（Ｆｅ−Ｍｎ−Ｍｏ），安来鋼，ステンレス鋼（Ｆｅ−Ｎｉ−Ｃｒ），マルエージング鋼，４２アロイ（Ｆｅ−４２Ｎｉ），丹銅，洋銀（Ｃｕ−２７Ｚｎ−１８Ｎｉ），青銅（Ｃｕ−Ｎｉ），赤銅（Ｃｕ−Ａｕ），ジュラルミン（Ａｌ−Ｃｕ），ニクロム，サンプラチナが挙げられる。特に，格子構造体１００を形成するチタン合金としては，α合金（ＳＳＡＴ−５２５，ＳＳＡＴ−８１１，ＳＳＡＴ−６２４２等），α−β合金（ＳＳＡＴ−３２５，ＳＳＡＴ−６４，ＳＳＡＴ−６６２等），β合金（ＳＳＡＴ−１０２３，ＳＳＡＴ−３８６４，ＳＳＡＴ−１５３）が挙げられる。
【００６２】
（１−５  製造方法）
図７を参照して，本発明に係る格子構造体１００の格子形状の設計工程の一例について説明する。図７は，本発明に係る格子の設計工程の一例を示した概念図である。この例においては，本発明に係る格子構造体１００は，図７（ａ），（ｂ），（ｃ），（ｄ），（ｆ），（ｇ）の順の工程で設計される。つまり，まず，図７（ａ）に示すように，直径Ｄの円が内接する正六角形を規定する。格子構造体１００の大きさ，特に単位格子の大きさは，円の直径Ｄに依存するものである。直径Ｄは，格子構造体１００を適用する材料の用途に応じて適宜調整すればよい。次に，図７（ｂ）に示すように，規定した正六角形を基に，Ｓ字型に湾曲した格子橋１０の基本形状を設計する。このとき，Ｓ字の中心が正六角形の１辺の中心に位置し，かつ，Ｓ字の両端がその１辺をはさむ正六角形の２角に位置するようにして，格子橋１０の基本形状を設計する。このＳ字型の基本形状の曲率を変更することにより，格子橋１０の長さが変化するため，格子構造体１００の柔軟性や最大延伸長を調整することができる。次に，図７（ｃ）に示すように，設計したＳ字型の基本形状を基に，Ｓ字型の基本形状の線幅を調整する。このＳ型の基本形状の線幅は，格子橋１０の太さに対応するため，Ｓ字型の基本形状の線幅を変更することにより，格子構造体１００の柔軟性や強度を調整することができる。次に，図７（ｄ）に示すように，一定の線幅を有するＳ字型の基本形状を，６０度ずつ異なった角度に傾斜させ，正六角形のそれぞれの辺に位置するようにし，３６０度のパターンを形成する。そして，図７（ｅ）に示すように，形成した３６０度のパターンを基に，格子開口部３０の基本形状を抽出する。つまり，形成した３６０度のパターンの最内部に位置するＳ字同士の接点をつなぎ合わせることにより，格子開口部３０の基本形状を抽出する。次に，図７（ｆ）に示すように，抽出した格子開口部３０の基本形状に線幅を設けることにより，単位格子の基本パターンを形成する。このようにして形成された単位格子の基本パターンは，６０度間隔の回転対称となっている。また，このときに単位格子の基本パターンが有する線幅は，（ｃ）の工程で調整されたＳ字型の基本形状の線幅の半分とする。最後に，図７（ｇ）に示すように，半分の線幅を有する単位格子の基本パターンを，複数組み合わせるようにして，格子構造体１００を設計する。
【００６３】
このように，設計することにより，格子橋１０の線幅，長さ及び曲げ率を全て任意に設計することができ，これにより，単位格子の形状が定まる。単位格子の形状が定まれば，複数の単位格子を連結させることにより格子構造体１００のメッシュパターンを設計することが可能である。
【００６４】
また，上記例によって設計された格子構造１００は，公知の方法によって製造することができる。例えば，設計された格子構造を有する型に溶融した材料を流し込むことにより格子構造体１００を製造することとしてもよい。また，所望の材料にワイヤーカット加工や，レーザーカット加工を施して，格子構造体１００を製造することとしてもよい。また，所望の材料に，格子開口部（３０）と同形状の貫通孔を穿設するパンチング加工を施すことにより格子構造体１００を製造することとしてもよい。格子構造体１００に含まれる複数の格子橋１０及び複数の格子点２０は，すべて一体成形されていることが好ましい。
【００６５】
また，格子構造体１００は，複数の格子構造体を接合することにより拡張することができる。特に，リベット（特にブラインドリベット）を用いて複数の格子構造体１００を圧接することにより形状追随性や弾性などの機械特性を維持したまま格子の面積を拡大できる。
【００６６】
（２−１  使用例）
図８は，本発明に係る格子構造体１００の使用例について説明するための概念図である。本発明に係る格子構造体１００には，格子開口部３０を利用して，他の部品５０を取り付けることができる。図８においては，格子開口部３０にナット４０が嵌着されている。ナット４０は，ブラインドナットであり，特に六角ナットであることが好ましい。ナット４０は，その中心にネジ穴が形成されており，これに適合するネジ山を有する部品５０を螺合することができるようになっている。このように，格子開口部３０にナット４０を圧着固定することにより，格子構造体１００を他の部品５０の支持部材として利用することができる。
【００６７】
特に，本発明に係る格子構造体１００を，歯槽骨造成用の格子構造体としての応用する場合，格子開口部３０にナット４０を取り付けることにより，インプラント治療に利用できる。すなわち，格子開口部３０に嵌着されたナット４０には，人工歯（上部構造）５０を螺合させ固定できる。一般的に，インプラント治療では，人工歯根が歯槽骨に埋め込まれ，歯槽骨が人工歯根の周囲で安定期間（治癒期間）中に育成し，その結果，埋め込まれた人工歯根は最終的に歯槽骨にしっかりと固定されることとなる。そして，人工歯根にアバットメントと称する支台部が連結され，そのアバットメントの上に新しい歯冠を装着する。従来は，この安定期間として人工歯根が歯槽骨にしっかりと固定される期間が必要であり，通常約３ケ月〜６ケ月の期間が必要とされていた。しかし，本発明に係る格子構造体１００をインプラント治療にとして利用した場合，人工歯根と人工歯５０の安定性が高まるため，骨の成長を待つことなく歯科インプラントの固定が可能である。
【００６８】
（２−２  動作例１）
次に，図９を用いて，本発明に係る格子構造体１００の第1の動作例について説明する。
【００６９】
図９に示すように，格子構造体１００における格子点２０の中心には，孔部２２が形成されている。孔部２２の形状は，図１４に示すように三角形状に形成されていてもよいし，例えば，四角形，五角形，六角形，星型のような多角形状で形成することとしてもよい。このような孔部２２には，孔部２２の形状に適合した専用のドライバが挿入される。このドライバは，単位格子が有する６つの孔部２２に同時に挿入されるものであることが好ましい。そして，それぞれの孔部２２に挿入されたドライバは，図１４に示す矢印方向に回転される。このようにして，６つの孔部２２に挿入されたドライバが，回転されることにより，単位格子が拡張される。すなわち，孔部２２に挿入されたドライバが回転されることにより，Ｓ字型に湾曲した格子橋１０のそれぞれが，回転するようにして引張され，格子橋１０の曲率が小さくなる。格子橋１０の曲率が小さくなると，Ｓ字型に湾曲している格子橋１０は，直線状に近くなるため，全体として単位格子が拡張されることとなる。
【００７０】
このような動作を行う格子構造体１００は，例えば，人工骨に適用されうる。すなわち，格子孔２２を含む格子構造体１００は，上記したドライバの操作により，徐々に単位格子を拡張することができるため，人工骨を取り替えるような施術を行わなくとも，人骨の成長に合わせて人工骨を拡張していくことができる。
【００７１】
（２−３  動作例２）
次に，図１０を用いて，本発明に係る格子構造体１００の第２の動作例について説明する。
【００７２】
図１０（ａ）に示すように，格子構造体１００における格子橋１０の内曲部１４には，格子開口部３０の内方に向かって突起した鉤型の歯止部１５が形成されている。歯止部１５は，格子橋の１０の内曲部１４のそれぞれに形成されており，格子開口部３０に挿通されるドライバ６０の回転方向を制限する。図１０（ｂ）に示すように，ドライバ６０の中柱の一部には，歯車６２が形成されている。ドライバ６０が格子開口部３０に挿通されると，ドライバ６０の歯車６２と格子構造体１００の歯止部１５が係合する。歯車６２は，歯止部１５と係合する形状であればよく，例えば，六角形，又は六角形に突起を設けた風車形状であってもよい。このように，ドライバ６０の歯車６２と格子構造体１００の歯止部１５によって，いわゆるラチェット機構をなす。ドライバ６０の歯車６２は，図１０（ａ）に示す矢印の方向への回転が制限されている。このように，格子構造体１００の弾性特性によって構造体は逆回転しないため，緩みなく，格子構造体１００とドライバ６０を固定接合することができる。
【００７３】
また，格子構造体１００の歯止部１５にドライバ６０の歯車６２を係合させ，図１０（ａ）に示す矢印の方向に回転させると，格子構造体１００は，拡張展開する。つまり，格子開口部３０に挿入されたドライバ６０が，矢印方向に回転することにより，単位格子が拡張展開する。すなわち，ドライバ６０が矢印方向に回転することにより，Ｓ字型に湾曲した格子橋１０のそれぞれが，回転するようにして展開し，格子橋１０の曲率が小さくなる。格子橋１０の曲率が小さくなると，Ｓ字型に湾曲している格子橋１０は，直線に近くなるため，全体として単位格子が拡張することとなる。
【００７４】
（３−１  構造例１）
次に，図１１を用いて，本発明に係る格子構造体１００の第１の構造例について説明する。
【００７５】
図１１（ａ）は，円筒形状である格子構造体１００の例を示した図である。図１１（ａ）に示すように，本発明に係る格子構造体１００は，格子構造を湾曲させ，円筒状に形成することが可能である。特に本発明に係る格子構造体１００は，柔軟性が高いものであるため，直径がより小さい円筒形状とすることが可能である。
【００７６】
本発明に係る格子構造体１００は，上述したように，三次元方向に伸縮成形が可能であり，柔軟性が高いものであるため，円筒状の格子構造体１００は，様々な用途に応用することができる。
【００７７】
例えば，図１１（ｂ）に示すように，円筒状の格子構造体１００は，インプラント治療に用いられる人工歯根（フィクスチャー）に適用することができる。すなわち，インプラント治療の患者の歯茎に埋入される人工歯根を円筒状の格子構造体１００によって成形する。一般的に，インプラント治療を受ける患者の歯槽骨の量や厚み，あごの骨のくびれなどの形態は様々である。また，患者の歯茎に埋入される人工歯根にはあらゆる方向からの外力や衝撃が加わり続けるため，製品の長寿命化を図るためには，素材的な剛性と，構造的な柔軟性が求められる。この点，本発明に係る格子構造体１００が適用された人工歯根は，柔軟に成形可能であるため，治療を受ける患者の生体特性に適合させることができる。また，本発明に係る格子構造体１００が適用された人工歯根は，金属材料を用いることによって人工歯根として求められる剛性を担保すると同時に，構造的な柔軟性によって外方からの衝撃を分散させることができる。
【００７８】
また，円筒状の格子構造１００を建築用の耐震台に用いられる支柱（金属柱）に適用することができる。本発明は，三次元方向に伸縮可能であり，高い柔軟性を有するため，地震がもたらす衝撃を支柱全体に分散させることができ，支柱の破損を防止できる。
【００７９】
また，円筒状の格子構造体１００は，ステントに適用することとしてもよい。例えば，冠動脈の狭窄している部分にカテーテルを用いて本発明が適用されたステントと，ステント内に配置されたバルーンを挿入する。そして，バルーンを膨張させることにより，ステントも広がる。広がったステントを冠動脈内に残してバルーンカテーテルを抜き取ると，ステントは狭窄部分を内側から支え続ける。このようにして冠動脈の狭窄が改善される。また，ステントの表面から再狭窄を防ぐ薬剤が溶出することとしてもよい。前述したように，格子構造体１００は，柔軟性と伸縮性が高いため，ステントに適用することにより好適に作用しうる。
【００８０】
また，円筒状の格子構造体１００は，三次元方向に湾曲させることが容易であるため，例えば，医療用内視鏡（ファイバスコープ）の胴体部分に適用することができる。また，円筒状の格子構造体１００は，三次元方向に伸縮可能であり高い柔軟性を有するため優れた生体適合性を有する。従って，例えば，医療用の推体スペーサに適用することができる。
【００８１】
また，円筒状の格子構造体１００は，柔軟性が高く軽量性が求められる機械的構造にも適用するこができる。従って，例えば，円筒状の格子構造体１００は，高いトルクと軽量性が要求されるゴルフクラブのシャフト，あるいは釣竿に適用することできる。
【００８２】
また，円筒状の格子構造体１００は，三次元方向に湾曲させることが容易であるため，環状（ドーナツ状）に形成することもできる。円筒環状の格子構造体１００は，例えば，車両のタイヤの構造や，タイヤに装着される滑り止め防止器具の構造として用いることができる。
【００８３】
（３−２  構造例２）
次に，図１２を用いて，本発明に係る格子構造体１００の第２の構造例について説明する。
【００８４】
図１２は，球体形状である格子構造体１００の例を示す概念図である。このように，本発明の第１の側面に係る格子構造体１００は，球形状であってもよい。本発明の格子構造体１００は，三次元方向に伸縮可能であり，高い曲げ特性を有するため，球形状とすることも可能である。また，本発明の格子構造体１００は，六角形のポリゴンを基本としているため，切頂２０面体構造（いわゆるＣ６０フラーレン構造）を形成することもできる。
【００８５】
球形状の格子構造体１００は，例えば，耐熱性が求められる弾性球体に適用することができる。球形状の格子構造体１００には金属材料を用いて剛性を維持させ，その一方で，格子構造の構造的なバネ特性によって高い弾性率を有する球体を提供することができる。また，格子構造体１００は，切頂２０面体構造とすることが可能であるため，本発明の格子パターンを有する遊戯用ボール（ピンポン玉，ゴルフボール，サッカーボール）を製造することとしても良い。
【００８６】
（４  複数層格子）
以下，図１３及び図１４を用いて，本発明の第２の実施の形態に係る複数層格子２００について説明する。図１３に示すように，複数層格子２００は，本発明の第１の側面に係る格子構造体１００を複数枚含む。例えば，複数層格子２００は，格子構造体１００を二枚含み，第１の格子構造体１００ａ上に第２の格子構造体１００ｂを重畳したものである。複数層格子２００は，複数枚の格子構造体１００が重なる部分を公知の方法により溶接すればよい。例えば，レーザ溶接，又は抵抗溶接によって溶接すればよい。また，リベット（特にブラインドリベット）を用いて複数の格子構造体１００を圧接することとしてもよい。複数層格子２００は，異なるパターンの格子構造体１００，すなわち，格子橋１０の太さや，格子橋１０の橋部１６長さ，格子橋１０の曲率が異なる格子構造体１００を重ねることにより形成することとしても良いが，同一のパターンを有する格子構造体１００を重ねることが好ましい。
【００８７】
図１４に示すように，複数層格子２００は，２層の格子構造体（１００ａ，１００ｂ）が，所定角度又は所定方向にずれて重畳されたものである。例えば，図１４（ａ）は，第１の格子構造体１００ａ上に，第２の格子構造体１００ｂを，９０度左方向にずらして重畳したものである。このとき，第１の格子構造体１００ａの格子開口部３０の主たる開口部３２のうちの１つと，第２の格子構造体１００ｂの格子開口部３０の主たる開口部３２のうちの１つとが，一致する位置に，第２の格子構造体１００ｂが重畳されている。また図１４（ｂ）は，第１の格子構造体１００ａ上に，第２の格子構造体１００ｂを，約４５度左方向にずらして重畳したものである。また，図１４（ｃ）は，第１の格子構造体１００ａ上に，第２の格子構造体１００ｂを，左下方向に，単位格子約半個分ずらして重畳させたものである。すなわち，第１の格子構造体１００ａの斜め方向に連続する単位格子の中間に，第２の格子構造体１００ｂの単位格子が位置するように，第２の格子構造体１００ｂが重畳されている。このように，図１４（ａ）から図１４（ｂ）は，２枚の格子（１００ａ，１００ｂ）を，所定角度又は所定方向にずらして重畳することにより，複数層格子２００の平面上に，異方性を有するパターンが表出されている。このようにして，複数層格子２００は，ある特定の方向に引張された場合の引張応力と，他の特定の方向に引張された場合の引張応力が異なるように形成されている。
【００８８】
また，図１４（ｄ）に示すように，２層の格子構造体（１００ａ，１００ｂ）を，所定角度又は所定方向にずらして重畳することにより，複数層格子２００の平面状に，規則的なパターンが表出することとしてもよい。例えば，図１４（ｄ）においては，第１の格子構造体１００ａ上に，第２の格子構造体１００ｂを，右下方向に，単位格子約半個分ずらして重畳させたものである。このとき，このとき，第１の格子構造体１００ａの格子点２０と，第２の格子構造体１００ｂの格子点２０とが，一致する位置に，第２の格子構造体１００ｂが重畳されている。このようにして，重畳形成された複数格子２００は，平面上に六角形を基本とする規則的なパターンを表出するように形成されている。このようなハニカム構造を有する複数層格子２００は，機械的強度に優れたものである。
【００８９】
また，格子構造体１００又は複数層格子２００は，衣服にラミネートして防護服として用いることとしてもよい。つまり，衣服の表面に，格子構造体１００又は複数層格子２００を，接着又は編み込むことにより防護服を形成する。前述したように，格子構造体１００又は複数層格子２００は，高い柔軟性を有するため，軽量で装着性に優れた防護服を形成することができる。
【００９０】
また，格子構造体１００又は複数層格子２００，上記した用途の他にも，格子構造又はメッシュ構造が用いられる，多様なアプリケーションに適用することができる。
【００９１】
（５  複数層立体格子構造体）
図１５は，複数層立体格子構造体の例を示す側面図である。また，図１６は，複数層立体格子構造体１６の例を示す斜視図である。
図１５や図１６に示されるように，複数層立体格子構造体３００は，複数の格子構造体１００を含む。そして，複数層立体格子構造体３００は，複数の格子構造体１００の平面を重ね合わせ，互いに対向する２枚の格子構造体１００の一部を接合したまま，複数の格子構造体１００の厚み方向に引張することにより，立体構造となる。
【００９２】
複数層立体格子構造体３００は，少なくとも，第１の格子構造体１００ａと第２の格子構造体１００ｂとを含み，第１の格子構造体１００ａの格子点２０ａと第２の格子構造体の格子点２０ｂは接合されている。このように，格子点同士を接合したまま，第１の格子構造体１００ａと第２の格子構造体１００ｂを厚み方向に引張すると，第１の格子構造体１００ａの格子橋１０ａ及び第２の格子構造体１００ｂの格子橋１０ｂの両方，又はいずれか一方が，格子構造体の厚み方向に立ち上がることとなる。従って，複数層に重ね合わされた格子構造体が，立体構造となる。第１の格子構造体１００ａと第２の格子構造体２０ｂは，少なくとも一箇所の格子点（２０ａ，２０ｂ）において接合されていればよく，また，全ての格子点（２０ａ，２０ｂ）が接合されていてもよい。
【００９３】
図１５及び図１６には，５枚の格子構造体が積層され，立体構造を形成した例が示されている。このように，格子構造体を積層する数は，２枚以上であればよく，３枚であってもよいし，４枚以上としてもよい。図５及び図６に示された例においては，第１の格子構造体１００ａと第３の格子構造体１００ｃの間に，第２の格子構造体１００ｂが位置している。第２の格子構造体１００ｂの格子橋１０ｂに注目してみると，格子橋１０ｂの一端部に位置する格子点２０ｂ１が，第１の格子構造体１００ａの格子点２０ａに接合されている。また，第２の格子構造体１００ｂの格子橋１０ｂの他端部に位置する格子点２０ｂ２が，第３の格子構造体１００ｃの格子点２０ｃに接合されている。このように，第２の格子構造体１００ｂの格子橋１０ｂの両端に位置する格子点（２０ｂ１，２０ｂ２）が，それぞれ第１の格子構造体１００ａの格子点２０ａと第３の格子構造体１００ｃの格子点２０ｃに接合されている状態で，格子構造体の厚み方向に引張することにより，少なくとも第２の格子構造体１００ｂの格子橋１０ｂが立上することとなる。また，第２の格子構造体１００ｂの格子橋１０ｂを立上させるとともに，第１の格子構造体１００ａの格子橋１０ａや，第３の格子構造体１００ｃの格子橋１０ｃを立上させることとしてもよい。すなわち，第１の格子構造体１００ａと第３の格子構造体１００ｃは，第２の格子構造体１００ｂの格子橋１０ｂを介して連結される。第１の格子構造体１００ａと第３の格子構造体１００ｃを連結する第２の格子構造体１００ｂの格子橋１０ｂの数は，少なくとも１つ以上存在していればよく，２つ以上であってもよい。
【００９４】
なお，図１５や図１６に示されるように，格子構造体の格子橋同士が接合される箇所が一部に存在していてもよい。格子橋同士を接合すると，接合された格子橋は立ち上がらないが，格子橋同士を接合することにより，積層された格子構造体の接着強度を向上させることができる。
【００９５】
図１７は，格子構造体の間に位置する格子構造体（例えば第２の格子構造体１００ｂ）を抽出して示した概略平面図である。また，図１８は，複数の格子構造体を積層して接合する状態を説明するための概略斜視図である。図１７及び図１８において，“黒丸”は，上層の格子構造体に接合される格子点を示しており，“白丸”は，下層の格子構造体に接合される格子点を示している。図１７及び図１８において，“黒丸”と“白丸”は，説明のために概念的に示したものであり，実際には存在していない。
【００９６】
すなわち，図１７に示されるように，第１の格子構造体１００ａと第３の格子構造体１００ｃの間に位置する第２の格子構造体１００ｂは，上層の格子構造体に接合される格子点である上層接合格子点２０ｂ１と，下層の格子構造体に接合される格子点である下層接合格子点２０ｂ２を有している。例えば，上層接合格子点２０ｂ１は，第１の格子構造体１００ａの格子点２０ｂと接合され，下層接合格子点２０ｂ２は，第３の格子構造体１００ｃの格子点２０ｂと接合される。図１７に示されるように，第２の格子構造体１００ｂにおいて，格子橋１０ｂの一端には上層接合格子点２０ｂ１が形成され，格子橋１０ｂの他端には下層接合格子点２０ｂ２が形成されることが好ましい。これにより，上層接合格子点２０ｂ１と下層接合格子点２０ｂ２に繋がる格子橋１０ｂが，上層と下層に配置された格子構造体を連結する役割を担う。
【００９７】
図１８においては，３枚の格子構造体，すなわち，第１の格子構造体１００ａ，第２の格子構造体１００ｂ，及び第３の格子構造体１００ｃが積層される状態の例が示されている。第２の格子構造体１００ｂは，第１の格子構造体１００ａと第３の格子構造体１００ｃの間に位置する。上述したように，第２の格子構造体１００ｂは，上層接合格子点２０ｂ１と下層接合格子点２０ｂ２を有している。一方，第２の格子構造体１００ｂの上層に位置する第１の格子構造体１００ａは，下層接合格子点２０ａ２を有する。また，第２の格子構造体１００ｂの下層に位置する第３の格子構造体１００ｃは，上層接合格子点２０ｃ１を有する。そして，第１の格子構造体１００ａの下層接合格子点２０ａ２と第２の格子構造体１００ｂの上層接合格子点２０ｂ１が，互いに接合される。また，第２の格子構造体１００ｂの下層接合格子点２０ｂ２と第３の格子構造体１００ｃの上層接合格子点２０ｃ１が，互いに接合される。このような状態で，積層した格子構造体を厚み方向に引張することにより，３枚の格子構造体が積層した複数層立体格子構造体３００が形成される。なお，第１の格子構造体１００ａと第２の格子構造体１００ｂを接合する際には，第１の格子構造体１００ａの裏面と第２の格子構造体１００ｂの表面が接合される。同様に，第２の格子構造体１００ｂと第３の格子構造体１００ｃを接合する際には，第２の格子構造体１００ｂの裏面と，第３の格子構造体１００ｃの表面が接合される。
【００９８】
上記した複数層立体格子構造体の構成は，例示である。すなわち，複数枚の格子構造体の平面を重ね合わせて格子橋を立ち上がらせ，複数層の格子構造体を立体構造とすることのできる構成であれば，上記した構成の他に種々の構成を採用することが可能である。
【００９９】
また，上記した複数層立体格子構造体は，種々の用途に採用することができる。例えば，人工椎体、椎体間スペーサ，又は骨補填材として利用可能である。人工椎体は圧損した椎体を摘出後に置換するもので、弾性や柔軟性が要求される。椎体間スペーサは，椎間板を除去した後，調整器具にて上下の椎体間の間隔（椎間高さ）を適正値に調整し，その間隔を保持するために用いられる。また，骨補填材は，外傷や骨粗鬆症等により椎体が潰れる椎体圧迫骨折を治療するため，圧潰した椎体内に充填される治療具である。このように，本発明に係る複数層立体格子構造体は，任意の弾性や強度で設計可能であり生体適合性に優れたているため，生体骨と同じ物性を持つインプラント材を作成することができる。
【０１００】
また，複数層立体格子構造体は，医療的用途のみならず，例えば，プラスチチック材との複合材料のような工業的用途にも利用することができる。例えば，金属製の複数層立体と他のプラスチック材を複合して形成された構造であっても，複数層立体格子構造体の弾性や強度をプラスキック材に適合させることができる。また，数層立体格子構造体は，例えば，金属ケージ，バネブロック，防振材の構造としても好適に利用可能である。
【０１０１】
（６  パンチング加工モデル）
次に，本発明の格子構造体をパンチング加工する際のモデルについて説明する。
一般的に，所望の形状の貫通孔を穿設するパンチング加工は，ワイヤーカットやレーザーカットと比較して高い生産性を有し，かつ生産コストも安価である。しかしながら，パンチング加工を行うことができる形状は，比較的単純な形状に限られており，曲線が連続するような複雑な形状については，パンチング加工を施すことが困難であるとされている。
そこで，以下では，比較的単純な形状で設計されておりパンチング加工で製造することが容易な格子構造体について説明する。
【０１０２】
図１９に示された例では，格子橋１０が，ある格子開口部３０の内側に向かって鋭角に突出した内側屈折点１７と，当該ある開口部３０の外側に向かって鋭角に突出した外側屈折点１８の２点においてＳ字型に屈折したものとなっている。なお，格子橋１０の形状は，Ｚ字型に屈折したものと称することもできる。内側屈折点１７と外側屈折点１８の角度は，例えば６０度である。
【０１０３】
格子点２０においては，Ｓ字型に屈折した３つの格子橋１０の一端部が連接している。そして，各格子開口部３０は，６つの格子橋１０と６つの格子点２０で取り囲まれることにより画定されている。すなわち，格子開口部３０は，六角形状の主たる開口部３２と，当該主たる開口部３２の各辺の一端部から当該各辺の延長線上に延びた一定の回転方向性を有する６つの従たる開口部３４が画定される。ここで，「一定の回転方向性」とは，例えば，直線的に形成された６つの従たる開口部が３４のそれぞれが，隣り合う従たる開口部３４と比較して，６０度ずつ規則的に傾斜していることを意味する。主たる開口部３２は，正六角形であることが好ましい。また，従たる開口部３４は，直線状であることが好ましい。
【０１０４】
図１９に示された格子構造体は，格子橋１０が内側屈折点１７と外側屈折点１８の２点で屈折する形状となり，かつ全ての格子橋１０の形状が略同一となるように留意しながら，複数の格子開口部３０をパンチング加工することにより製造が可能である。このため，図１９に示された格子構造体は，高い生産性でかつ安価に製造することができ，大量生産に適している。
【０１０５】
図２０に示された例では，格子橋１０が，ある格子開口部３０の内側に向かって鈍角に突出する第１の内側屈折点１７ａと第２の内側屈折点１７ｂ，及び当該ある格子開口部３０の外側に向かって鈍角に突出する第１の外側屈折点１８ａと第２の外側屈折点１８ｂの４点において屈折している。各屈折点の角度は，例えば１２０度である。
【０１０６】
格子点２０においては，Ｓ字型に屈折した３つの格子橋１０の一端部が連接している。そして，各格子開口部３０は，６つの格子橋１０と６つの格子点２０で取り囲まれることにより画定されている。このため，格子開口部３０は，鋭角と鈍角が交互に連続した１２角形状の主たる開口部３２と，当該主たる開口部３０の各鋭角端から当該鋭角端をなす一方の辺の延長線上に延びた一定の回転方向性を有する６つの従たる開口部３４が画定される。主たる開口部３２の鋭角の例は，６０度である。また，主たる開口部３２の鈍角の例は，２４０度である。例えば，格子開口部３０は，正六角星形状であることが好ましい。また，従たる開口部３４は，直線状であることが好ましい。
【０１０７】
図２０に示された格子構造体でも，格子開口部３０が，比較的簡易な形状となっているため，パンチング加工により製造できる。さらに，図２０に示された格子構造体では，の格子橋１０が４つの屈折点を有するＳ字型で形成されており比較的柔軟に伸縮する。従って，図２０に示された格子構造体は柔軟に成形可能であり，例えばインプラント治療を受ける患者の生体特性に適合し易いという利点を有する。
【０１０８】
（７  格子パターンから抽出されるピース）
図２１は，本発明に係る格子構造体１００の格子パターンから抽出されたピース４００を示している。ピース４００は，格子構造体１００の格子開口部３０と略同一の形状である。また，ピース４００は，連結させると隙間なく敷き詰めることができる。ピース４００が敷き詰められたピース集合体は，各ピース４００間において接着している面積が大きいため，各ピース４００間の摩擦力が高く，容易には外れなくなっている。また，ピース集合体は等方性を有しているため，あらゆる方向からの衝撃に対して均一な応力を有する。従って，ピース４００は，例えば路上に敷き詰めるタイルとして好適に利用することができる。また，ピース４００を敷き詰めたピース集合体は，非常に複雑な幾何学模様を表出しているため，ピース４００は，例えばジグソーパズルのピースとして利用することができる。
【実施例１】
【０１０９】
以下に，図２２〜図２４の写真を参照して，本発明の実施例について説明する。【０１１０】
図２２は，本発明に係る格子構造体を人骨に適用した実施例を示す写真である。図２２においては，板状である格子構造体を，適用する人骨の形状に合わせた大きさに切断し，人の頭骨や，顎骨，大腿骨，関節にそれぞれ装着しさせている。平板上の格子構造体は，骨片を固定したり骨欠損部を架橋したりするため，に三次元的に湾曲され，骨ネジによって，各種人骨に固定される。図２２に示すように，本発明の格子構体は，柔軟に湾曲するものであるため，平坦な骨の領域だけでなく，凹凸形状や球状状に湾曲した骨表面であっても，密着させて装着することができる。【０１１１】
図２３は，本発明に係る格子構造体を，歯槽骨造成用の格子構造体としての応用する場合の実施例を示す写真である。このように，本発明に係る格子構造体を歯槽骨造成用として利用する場合，格子開口部はナットが嵌着されている。格子開口部に嵌着されたナットには，人工歯（上部構造）が螺合され固定される。このように，本発明に係る格子構造体は，インプラントとして用いることができる。本発明に係る格子構造体をインプラント治療にとして利用した場合，人工歯根と人工歯の安定性が高まるため，骨の成長を待つことなく歯科インプラントの固定が可能である。【０１１２】
図２４は，リベットを用いて２つの本発明に係る格子構造体を圧接し連結した実施例を示す写真である。このように，本発明にかかる格子構造体は，複数の格子構造体をリベットより圧接し，それぞれ連結を続けていくことにより，構造体の面積を拡張することができる。特に，リベット（特にブラインドリベット）を用いて複数の格子構造体を圧接し連結することにより，形状追随性や弾性などの機械特性を維持したまま格子の面積を拡大できる。
【産業上の利用可能性】
【０１１３】
本発明に係る格子構造体は，三次元方向に成形可能である。また，本発明に係る格子構造体は，柔軟で高い伸縮性を有するものである。従って，本発明に係る格子構造体は，例えば，生体適合が必要な平板上の格子構造体や，ステントやインプラントのような円筒形状の格子構造体，さらには球形状に成形した格子構造体として好適に利用しうる。
【符号の説明】
【０１１４】
１０    格子橋
１２    外曲部
１４    内曲部
１５    歯止部
１６    橋部
１７    内側屈折点  
１８    外側屈折点
２０    格子点
２２    孔部
３０    格子開口部
３２    主たる開口部
３４    従たる開口部
４０    ナット
５０    部品
６０    ドライバ
６２    歯車部
１００  格子
２００  複数層格子
３００  複数層立体格子構造体
４００  ピース
【図１】
2012036129.tif 000003
【図２】
2012036129.tif 000004
【図３】
2012036129.tif 000005
【図４】
2012036129.tif 000006
【図５】
2012036129.tif 000007
【図６】
2012036129.tif 000008
【図７】
2012036129.tif 000009
【図８】
2012036129.tif 000010
【図９】
2012036129.tif 000011
【図１０】
2012036129.tif 000012
【図１１】
2012036129.tif 000013
【図１２】
2012036129.tif 000014
【図１３】
2012036129.tif 000015
【図１４】
2012036129.tif 000016
【図１５】
2012036129.tif 000017
【図１６】
2012036129.tif 000018
【図１７】
2012036129.tif 000019
【図１８】
2012036129.tif 000020
【図１９】
2012036129.tif 000021
【図２０】
2012036129.tif 000022
【図２１】
2012036129.tif 000023
【図２２】
2012036129.tif 000024
【図２３】
2012036129.tif 000025
【図２４】
2012036129.tif 000026
【国際調査報告】
2012036129.tif 000027
2012036129.tif 000028
2012036129.tif 000029
2012036129.tif 000030
2012036129.tif 000031
2012036129.tif 000032
2012036129.tif 000033
2012036129.tif 000034
2012036129.tif 000035